(57)【要約】【課題】容器内容物を思うように目的部位に塗布することができ、目薬と間違えて目に注したりするおそれのない点滴式噴出器、またはそれに用いる噴出器用塗布具を提供する。【解決手段】噴出器用塗布具１２を、栓部材１１を介して容器１０の口部１０ａに設ける。塗布具１２は、一体成形でつくり、目的部位に容器内容物を塗布する球状の塗布部１３と、注出孔１１ｃを通して口部１０ａを通過して外部に突出し、先端に塗布部１３を設ける支柱部１４と、栓部材１１の開放縁側で支持して口部１０ａで保持するリング状や十字形状などの被保持部１５と、その被保持部１５と支柱部１４との間に設ける弾性部１６とを有する。弾性部は、例えば４つの板ばね状の帯板部１７で形成する。【選択図】      図１
2005170460.tif 000002
【特許請求の範囲】
【請求項１】
目的部位に容器内容物を塗布する塗布部と、その塗布部を先端に設ける支柱部と、噴出器用容器で保持される被保持部と、その被保持部と前記支柱部との間に設ける弾性部とを有することを特徴とする、噴出器用塗布具。
【請求項２】
前記塗布部を球状とすることを特徴とする、請求項１に記載の噴出器用塗布具。
【請求項３】
前記被保持部をリング状とすることを特徴とする、請求項１に記載の噴出器用塗布具。
【請求項４】
前記被保持部を十字形状とすることを特徴とする、請求項１に記載の噴出器用塗布具。
【請求項５】
前記弾性部を複数の帯板部で形成することを特徴とする、請求項１に記載の噴出器用塗布具。
【請求項６】
請求項１ないし５のいずれか１に記載の噴出器用塗布具を容器の口部に設け、容器により前記被保持部を保持し、前記支柱部を容器の口部を通過して前記塗布部を容器の外部に設け、前記弾性部で付勢して前記支柱部を押し当てて容器の口部を塞ぐことを特徴とする、点滴式噴出器。
【発明の詳細な説明】
【技術分野】
【０００１】
この発明は、使用するとき、逆さにして容器の口部を下にし、ものにより容器の外形状を押し潰して、水虫薬・育毛剤・染み取り液などの容器内容物を口部から滴下する点滴式噴出器に関する。および、そのような点滴式噴出器で、容器の口部に設けて容器内容物を、患部等の目的部位に塗布する噴出器用塗布具に関する。
【背景技術】
【０００２】
従来、使用するとき、逆さにして容器の口部を下にし、ものにより容器の外形状を押し潰して容器内容物を口部から滴下する点滴式噴出器には、水虫薬用・育毛剤用・染み取り液用などとともに、目薬用のものがあった。このため、目薬と間違えて、水虫薬・育毛剤・染み取り液などを目に注す事故が希にあり、目を傷めるおそれがあった。
【０００３】
一方、この種の従来の噴出器の中には、例えば図５に示すように、容器１の口部２に蓋部材３をねじ付け、その上から被せてキャップ部材４を取り付けるものがある。蓋部材３は、一体成形でつくり、口部２にねじ付ける基体部５と、その基体部５からのびる弾性部６と、その弾性部６からのび、先端に注出孔７を有する注出部８とで構成していた。
【０００４】
そして、使用時は、キャップ部材４を取り外し、例えば図６に示すように、逆さにして容器１の口部２を下にし、蓋部材３の注出部８を患部に押し当てるなどにより押動して弾性部６を変形し、弾性部６が変形して容器1内の容積が減少した分、容器内容物を注出孔７から一定量滴下して目的部位に塗布するようにしたものがある。
【特許文献１】特開２００２−１７９１５９号公報
【発明の開示】
【発明が解決しようとする課題】
【０００５】
ところが、このような噴出器では、注出部８を目的部位に押し当てて押動すると、目的部位で先端の注出孔７を塞いでしまい、注出孔７から容器内容物を思うように滴下しにくい問題があった。
【０００６】
そこで、この発明の目的は、容器内容物を思うように目的部位に塗布することができ、目薬と間違えて目に注したりするおそれのない点滴式噴出器、またはそれに用いる噴出器用塗布具を提供することにある。
【課題を解決するための手段】
【０００７】
そのため、この発明の第１の態様は、噴出器用塗布具にあって、目的部位に容器内容物を塗布する塗布部と、その塗布部を先端に設ける支柱部と、噴出器用容器で保持される被保持部と、その被保持部と前記支柱部との間に設ける弾性部とを有する、ことを特徴とする。
【０００８】
前記塗布部は球状とし、前記被保持部はリング状としたり、または十字形状としたりし、前記弾性部は複数の帯板部で形成するとよい。
【０００９】
この発明の第２の態様は、点滴式噴出器にあって、請求項１ないし５のいずれか１に記載の噴出器用塗布具を容器の口部に設け、容器により前記被保持部を保持し、前記支柱部を容器の口部を通過して前記塗布部を容器の外部に設け、前記弾性部で付勢して前記支柱部を押し当てて容器の口部を塞ぐ、ことを特徴とする。
【００１０】
そして、使用時は、容器を持って逆さにし、容器の口部を下にして塗布部を、患部や染み取り位置などの目的部位に押し付け、弾性部を変形して支柱部を容器内に押し込み、弾性部の付勢力に抗して口部を開いて容器内容物を支柱部を伝わって塗布部に導き、または必要により容器の外形状を潰して容器の内容物を押し出し、同様に支柱部を伝わって塗布部に導き、容器を移動することにより塗布部に付着した容器内容物を塗布部で目的部位に塗布する。
【発明の効果】
【００１１】
この発明の第１の態様によれば、塗布部を目的部位に押し付け、弾性部を変形して支柱部を容器内に押し込み、弾性部の付勢力に抗して口部を開き、支柱部を伝わって塗布部に導いた容器内容物を目的部位に滴下塗布するから、容器内容物の出口を塞ぐようなことなく、容器内容物を思うように目的部位に塗布することができる。また、使用時に、容器の口部を下にして塗布部を患部等の目的部位に押し付けたとき、弾性部を変形して支柱部を容器内に押し込んでオンすることで、はじめて弾性部の付勢力に抗して口部を開くから、目には押し付けることができず、したがってオンすることができず、よって目薬と間違えて目に注したりするおそれのない点滴式噴出器に用いる噴出器用塗布具を提供することができる。
【００１２】
この発明の第２の態様によれば、塗布部を目的部位に押し付け、弾性部を変形して支柱部を容器内に押し込み、弾性部の付勢力に抗して口部を開き、支柱部を伝わって塗布部に導いた容器内容物を目的部位に滴下塗布するから、容器内容物の出口を塞ぐようなことなく、容器内容物を思うように目的部位に塗布することができる。また、使用時に、容器の口部を下にして塗布部を患部等の目的部位に押し付けたとき、弾性部を変形して支柱部を容器内に押し込んでオンすることで、はじめて弾性部の付勢力に抗して口部を開くから、目には押し付けることができず、したがってオンすることができず、よって目薬と間違えて目に注したりするおそれのない点滴式噴出器を提供することができる。
【発明を実施するための最良の形態】
【００１３】
以下、図面を参照しつつ、この発明の実施の最良形態につき説明する。
図１には、この発明による点滴式噴出器の不使用状態における部分縦断面を示す。
【００１４】
図中符号１０は、容器である。容器１０は、プラスチック材料でボトル形状につくり、その口部１０ａ外周に雄ネジを設け、図示省略するが、この例では、内部に、内容物として水虫薬を収容する。そして、口部１０ａに、栓部材１１を取り付ける。栓部材１１は、一体成形でつくり、口部１０ａの内周面に密着する筒部１１ａと、その筒部１１ａの軸方向片側に設けて口部１０ａの入口を塞ぐ栓部１１ｂとを設ける。栓部１１ｂの中心には、注出孔１１ｃをあける。
【００１５】
そのような注出孔１１ｃを通して栓部材１１で保持し、その栓部材１１を介して噴出器用塗布具１２を容器１０の口部１０ａに設ける。塗布具１２は、一体成形でつくり、例えば図２に示すように、目的部位に容器内容物を塗布する球状の塗布部１３と、注出孔１１ｃを通して口部１０ａを通過して外部に突出し、先端に塗布部１３を設ける支柱部１４と、栓部材１１の開放縁側で支持して口部１０ａで保持するリング状の被保持部１５と、その被保持部１５と支柱部１４との間に設ける弾性部１６とを有する。
【００１６】
不使用状態では、弾性部１６で付勢して支柱部１４を口部１０ａの注出孔１１ｃの周縁に押し当て、その口部１０ａを塞ぐ。弾性部１６は、図示例では、４つの板ばね状の帯板部１７で形成するが、このような形状に限るものではない。
【００１７】
そして、図１に示すごとく、そのような塗布具１２を被ってキャップ部材１８を被せ、内周の雌ねじを口部１０ａの雄ねじにねじ付けて口部１０ａに取り付ける。このとき、キャップ部材１８内周の突部１８ａを栓部１１ｂに押し当て、キャップ部材１８で栓部材１１を押さえる。
【００１８】
使用時は、キャップ部材１８を取り外し、図３に示すように逆さにし、塗布部１３を患部２０に押し付ける。すると、弾性部１６を撓ませて支柱部１４を押し込み、注出孔１１ｃを開いて容器１０内の水虫薬を支柱部１４を伝って塗布部１３に導く。必要により容器１０の外形状を潰して容器１０内の水虫薬を注出孔１１ｃから押し出し、同様に支柱部１４を伝って塗布部１３に導く。そして、塗布部１３を患部２０に押し付けた状態で移動することにより、塗布部１３に付着した水虫薬を患部２０に塗布する。
【００１９】
もちろん、塗布部１３を直接患部２０に押し当てなくても、いったんガーゼ等に押し付けてから、ガーゼ等に付けた水虫薬を患部２０に塗布したり、水虫薬を付けたガーゼ等を患部２０に押し当てたりするようにしてもよい。
【００２０】
なお、上述した例では、塗布部１３を球状としたが、球状に限らず、半球状、平面状など、容器内容物を塗布しやすく、かつ患部等の目的部位に押し付けた状態で移動しやすいその他の形状にすることもできる。また、被保持部１５も、リング状に限らず、例えば図４に示すように弾性部１６を構成する帯板部１７の先端を結ぶ十字形状などに形成してもよい。
【００２１】
以上のとおり、この発明による噴出器用塗布具を用いた点滴式噴出器によれば、塗布部１３を、患部２０等の目的部位に押し付けたとき、はじめて弾性部１６を撓ませてオンし、支柱部１４を押し込んで注出孔１１ｃを開き、容器１０内の水虫薬を支柱部１４を伝って塗布部１３に導くから、容器内容物の出口を塞ぐことなく、容器内容物を思うように目的部位に塗布することができる。
【００２２】
また、塗布部１３を目的部位に押し付けなければ、オフのままであり、注出孔１１ｃを開くことはできない。したがって目に使用しようとしても、塗布部１３を目に押し付けることができないから、オンにすることができず、目薬と間違えて誤って水虫薬・育毛剤・染み取り液などを目に注すおそれも解消することができる。
【図面の簡単な説明】
【００２３】
【図１】この発明による点滴式噴出器の不使用状態における部分縦断面図である。
【図２】その点滴式噴出器で用いる噴出器用塗布具の斜視図である。
【図３】その噴出器の使用状態における部分縦断面図である。
【図４】噴出器用塗布具の他例の斜視図である。
【図５】従来の点滴式噴出器の不使用状態における部分破断図である。
【図６】その使用状態における部分破断図である。
【符号の説明】
【００２４】
１０    容器
１０ａ  口部
１１    栓部材
１１ｃ  注出孔
１２    噴出器用塗布具
１３    塗布部
１４    支柱部
１５    被保持部
１６    弾性部
１７    帯板部
１８    キャップ部材
２０    患部（目的部位）
【図１】
2005170460.tif 000003
【図２】
2005170460.tif 000004
【図３】
2005170460.tif 000005
【図４】
2005170460.tif 000006
【図５】
2005170460.tif 000007
【図６】
2005170460.tif 000008